(57)【特許請求の範囲】
【請求項１】
予め用意された複数の画面を切り替えて、且つ、それらの画面が有するキー操作に基づき発券する発券装置において、
行き先を表示し且つ行き先データを指定する機能を持つ行き先指定キーと、列車名を表示し且つ列車名データを指定する機能を持つ列車名指定キーと、指定席券又は自由席券を表示し且つ指定席券又は自由席券のデータを指定する機能を持つ指定席／自由席指定キーと、乗車日データを指定する機能を持つ乗車日指定キーと、人数データを指定する人数指定キーと、複数のデータを指定する機能を持つワンタッチキーとを表示し、前記各キーへの操作を検知する表示入力手段と、
前記行き先指定キー及び前記列車名指定キー及び前記指定席／自由席指定キー及び前記乗車日指定キー及び前記人数指定キーによって指定される各データを前記ワンタッチキーが指定する前記複数のデータとして、当該ワンタッチキーの表示文言と前記複数の画面のいずれかを示す画面番号と当該画面番号の画面中の表示位置とを示す情報と共に登録する制御手段とを有し、
前記表示入力手段は、前記制御手段によって登録された前記表示文言を前記画面番号と前記表示位置とに対応するワンタッチキーに表示し、当該表示文言のワンタッチキーへの操作に基づいて前記制御手段によって登録された複数のデータを入力することを特徴とする発券装置。
【発明の詳細な説明】
【０００１】
【産業上の利用分野】
本発明は発券装置に関し、更に詳しくは、鉄道等における切符指定のための情報入力操作を容易にした発券装置に関する。
【０００２】
【従来の技術】
例えば、パーソナルコンピュータ（以下、パソコンという）には、頻繁に使用されるコマンドの文字列の入力を容易にするためにファンクションキーが設けられている。これは、複数文字からなるコマンドを１つのキーに対応付けておき、ユーザがそのコマンドの実行を指定する時、対応するファンクションキーを押下することにより、キータッチの回数を大幅に減らすことを目的としている。例えば、load"、file"、list、run 等のコマンドがファンクションキーとして用意されている。
【０００３】
パソコンのファンクションキーに類似するものとして、鉄道等の発券装置では、ワンタッチキーというキーがある。発券業務において、頻繁に起こる業務内容を１つのキーに登録しておき、駅員が発券のための情報入力操作を行う時、業務内容に該当するキーを選択することにより、入力操作を簡単化している。例えば、東京駅において、最も頻繁に発生する「東京−大阪、自由席、大人１枚」というような発券業務を発券端末装置のワンタッチキーの１つに登録しておけば、駅員の操作性は大幅に改善される。
【０００４】
【発明が解決しようとする課題】
従来の発券装置において、上述した特殊業務のファンクションキーあるいはワンタッチキーへの登録は、各装置がメーカから出荷される時点で既に完了しており、発券装置のユーザ（駅員、旅行業者）が自分に必要性に応じた任意の業務内容（コマンド）を自由に登録することはできなかった。
【０００５】
本発明の目的は、各ユーザが任意にワンタッチキー登録ができるようにした発券装置を提供することにある。
【０００６】
【課題を解決するための手段】
上記目的を達成するために、本発明の発券装置では、駅名、列車名等を指定するための項目キー表示画面を備えた多項目入力装置と、入力結果やホストとの交信結果を表示するための表示装置（ＣＲＴ）と、ＣＲＴの入力フィールドに文字列を入力するためのキーボードと、上記多項目入力装置の画面上の項目キーに表示すべき文言を記憶するための項目表示ファイルと、多項目キーが押下された時に、次に表示すべき多項目入力装置の表示画面の番号、ＣＲＴ表示画面の番号、およびワンタッチキー番号を記憶するための項目変換テーブルと、ワンタッチデータ登録モードで動作中に、ユーザ（駅員）が選択したＣＲＴ画面の番号および該ＣＲＴ画面の入力フィールドの内容を記憶するためのワンタッチデータファイルとを有し、ワンタッチキーが押下されたことに応答して、それと対応する上記ワンタッチデータファイルの内容をＣＲＴに表示し、発券等の情報入力業務を実行できるようにしたことを特徴とする。
【０００７】
【作用】
多項目入力装置には発券に必要な入力項目文言が表示してあり、ユーザ（駅員）は目的にお応じた文言を選択する。各項目に表示すべき文言は、項目表示ファイルが記憶されている。また、或る項目が選択された時、次に表示すべき多項目表示装置及びＣＲＴの画面番号は項目変換テーブルが記憶している。
【０００８】
本発明装置において、ワンタッチキーに特定のデータを登録しようとする場合、利用者は、多項目入力装置に設けられたワンタッチデータ登録キーを押下して、登録モードとする。多項目入力装置を発券のために操作すると、項目変換テーブルに従ってＣＲＴの画面が変わり、ホスト通信用の画面が表示される。利用者は、この画面において各フィールドに必要なデ−タを入力し、ワンタッチキーを設定したい多項目入力装置の画面番号、項目の画面内縦方向位置、横方向位置、及びワンタッチキー上に表示する文言をキーボードから入力した後、もう一度ワンタッチデータ登録キーを押下して、登録モードから通常の動作モードに戻す。項目変換テーブルには、ワンタッチキー番号を記憶するためのカラムがあり、ワンタッチキーの登録動作の都度、上記カラムに、順次にインクリメントされたワンタッチキー番号が設定され、さらに、ワンタッチデータファイルに上記ワンタッチキー番号に対応するＣＲＴ画面番号と、フィールドの内容とが記憶される。これによって、ワンタッチキーが押下されると、登録した内容に従った操作が実行される。
【０００９】
【実施例】
以下、本発明の実施例を図面を参照して説明する。
【００１０】
図１は、本発明を適用した発券装置の１実施例を示すハードウェア構成図である。この例では、多項目入力装置１０として、スクリーンキーセット（以下ＳＫＳ）と称されるタッチパネル方式のデバイスを用いる。ＳＫＳ１０で選択した項目に対応して、発券処理のためにホストとの通信に必要とされる情報を入力するための入力画面がＣＲＴ１３に表示される。キーボード１４は、上記ＣＲＴ１３に表示された入力画面上の入力フィールドに数字、文字等のデ−タ入力するために用いられる。磁気ディスク１２は、後述する各種のファイルを記憶するためのものであり、これらハードウェア要素はＣＰＵ１１によって制御される。なお、図では、ホスト（センタ）装置、該ホスト装置との交信のための回線、および通信制御装置は、省略してある。
【００１１】
図２は、ＳＫＳ１０に表示される初期画面の１例を示す。この画面には、縦（Ｘ）方向に５個、横（Ｙ）方向にそれぞれ４個ずつ、計２０個の項目キーと、画面右上部分にファンクションキー、右下部分にテンキーが表示してある。項目キーの中の１つを選択すると、ＣＰＵ１１は、次のＳＫＳ１０画面を出力する。  例えば、図２において「自由席券」を選択すると、ＳＫＳ１０の画面は、例えば図３に示す内容に変化する。図３で「新幹線」を選択すると、ＳＫＳ１０の画面は図４のように変化し、図４で「ひかり」を選択すると画面は図５のように変化すうる。
【００１２】
一方、上記操作に伴って、ＣＲＴ１３の画面は次のように変化する。ＳＫＳ１０で「自由席券」を選択した時、ＣＲＴ１３は、初期画面から図６に示すような自由席券販売用の画面に変化し、入力フィールド（乗車駅、降車駅、乗車日、枚数）にデ−タが入力されるのを待つ。ユーザが、これらの入力フィールドに対して、ＳＫＳ１０またはキーボード１４から乗降駅名、乗車日（または、今日というファンクションキーまたはテンキー）、枚数に該当するデ−タを入力する。図６において、「東京」、「名古屋」、「２月１４日」、「０１」がそれぞれユーザが入力したデ−タであり、それ以外はＣＰＵ１１が表示した内容である。
【００１３】
次に、磁気ディスク１２に形成される各種のファイルについて説明する。
【００１４】
図７は、ＳＫＳ項目表示ファイルの構成を示す。このファイルは、ＳＫＳ１０の各画面番号毎に、各項目の縦方向位置を表わすＸ座表、横方向位置を表わすＹ座標、そこに表示すべき文言を記憶している。
【００１５】
図８はＳＫＳ項目変換テーブルの構成を示す。このテーブルは、ＳＫＳの各画面番号毎に、各項目と対応して、その項目が選択された時に次に表示すべきＳＫＳ画面の番号、ＣＲＴ画面の番号、及びその項目がワンタッチキーであるか否かを示すワンタッチキー番号を記憶している。本実施例では、図２に示したＳＫＳ画面の番号が「１」、図３のＳＫＳ画面の番号が「２」となっている。画面番号＝「１」のＳＫＳ画面で、（Ｘ，Ｙ）＝（１，２）に相当する「自由席券」を選択した場合、上記テーブルの定義デ−タに従って、画面番号＝「２」のＳＫＳ画面（図３）と、画面番号「２」のＣＲＴ画面（図６）が次に表示される。
【００１６】
ワンタッチキー番号の欄には、押下された項目がワンタッチキーとして登録されたものであれば、ワンタッチキー番号が記憶され、そうでなければ初期値（２バイトのフルビット「ＦＦＦＦ」）が立ったままである。この例では、画面番号２のＳＫＳ画面（図３）の（Ｘ，Ｙ）＝（５，１）の項目「東京−新大阪、自由席」がキー番号「１」のワンタッチキーとして登録済であることを示している。図中「なし」と表記してあるのは、その項目が選択されてもＳＫＳ画面やＣＲＴ画面の表示内容に特別の変化が生じないことを意味している。
【００１７】
図９は、ワンタッチデータファイルの構成を示す。このファイルには、各ワンタッチキー番号対応に、次に表示すべきＣＲＴ画面の番号と、全フィールドの入力データが記憶されている。この例では、上述したワンタッチキー番号１の内容が、「東京−新大阪、自由席、当日乗車、１枚」であることを示している。
【００１８】
図１０にワンタッチデータを登録するための操作手順を説明する。
【００１９】
ステップ１０１：  ＳＫＳ１０のワンタッチデータ登録キーを押下する。
【００２０】
これ以後、ワンタッチデータ登録モードに入る。
【００２１】
ステップ１０２：  登録したいワンタッチデータをＳＫＳ１０で操作する。本実施例では、図２に示した画面番号１のＳＫＳ画面で、（Ｘ，Ｙ）＝（１，２）の「自由席券」が選択された場合を例にとる。「自由席券」が選択されると、ＣＲＴ１３の表示は図１１の状態となる（ただし、この時点では、「東京」、「名古屋」、「２月１４日」、「０１」というデ−タは未だ入力されていない）。ワンタッチデータ登録モードになっていれば、画面右側に「ワンタッチデータ登録画面」が、また、画面下側のモード表示エリアに「データ登録」を示す文字列が表示されている。
【００２２】
ステップ１０３：  ワンタッチキー登録したいＳＫＳ１０の画面番号と、ワンタッチキーのＸ座標、Ｙ座標、キー表示文言をキーボード１４から入力する。ここでは、ワンタッチキーをＳＫＳ画面番号＝２，（Ｘ，Ｙ）＝（５，２）に設定するものとし、キー表示文言＝「東京−名古屋、自由席」と仮定する。ＳＫＳ１０の項目キーは、例えば、縦横２倍角の文字を１行に４文字、全角の文字なら２行で各８文字まで表示できる。本実施例では、全角、２倍角文字を作成できるＣＰＵ１１とキーボード１４を使用しているものとする。
【００２３】
ステップ１０４：  図２で「自由席券」が選択されると、次に表示すべきＳＫＳ１０の画面番号は２（図３）であること、図８のＳＫＳ項目変換テーブルからわかる。図３の表示画面で「新幹線」、図４で「ひかり」、図５で「東京」、「名古屋」が選択されたとする。ステップ１０２の説明において、ＣＲＴ１３は「自由席券」が選択された後、図１１の画面を表示するとで述べたが、このステップでは乗車駅＝東京、降車駅＝名古屋までが入力済で、その後、ＳＫＳ１０またはキーボード１４から乗車日＝今日、大人＝０１が入力される。大人＝０１は、発券枚数を意味している。すべての入力が終了したＣＲＴ画面が図１１である。
【００２４】
ステップ１０５：  ＳＫＳ１０上の「発信」キーを選択すると、図８のＳＫＳ項目変換テーブルが更新される。ＳＫＳ画面番号＝２、（Ｘ，Ｙ）＝（５，２）がワンタッチキーであることを示すために、ワンタッチキー番号＝２とする。
【００２５】
ステップ１０６：  図９のワンタッチデータファイルに次のデータを登録する。ワンタッチキー番号＝２、次ＣＲＴ画面番号＝２、入力フィールド数＝４、フィールド１＝「東京」、フィールド２＝「名古屋」、フィールド３＝「今日の日付」、フィールド４＝「０１」とし、さらに図７のＳＫＳ項目表示ファイルに、ＳＫＳ画面番号＝２、（Ｘ，Ｙ）＝（５，２）の文言に「東京−名古屋、自由席」を登録する。
【００２６】
ステップ１０７：  他にも登録したいワンタッチデータがあればステップ１０２へ進み、そうでなければステップ１０８へ進む。
【００２７】
ステップ１０８：  もう一度ワンタッチデータ登録キーを押下して、登録モードから抜ける。
【００２８】
図１０の説明では、ワンタッチキーを登録するＳＫＳ画面番号、Ｘ座標，Ｙ座標をユーザがキーボード１４から入力すると述べたが、ユーザがそのＳＫＳ画面番号を知らない場合は、例えば次のようにすればよい。すなわち、ＳＫＳ１０上で、ワンタッチキーを設定したいＳＫＳ画面で設定したい項目の位置にタッチすれば、ＳＫＳ１０が、そのＳＫＳ画面番号，Ｘ座標，Ｙ座標をＣＰＵ１１に報告し、ＣＰＵ１１が、その値をＣＲＴ１３に表示するようにすればよい。このような制御を実行するためのフローチャートを図１２に示し、図１０と違うステップについてのみ以下に説明する。
【００２９】
ステップ１２１：  ステップ１０２と同様、登録したいＣＲＴ画面が表示されるようにＳＫＳ１０操作する。本実施例では、図２で「自由席券」を選択する。ＣＲＴ１３は図１１の画面（ＣＲＴ画面番号２）を表示する。ユーザはワンタッチキーを設定したいＳＫＳ画面を選択する。図２で「自由席券」を選択すると、ＳＫＳ１０は、次に図３のＳＫＳ画面番号２を表示する。本実施例では、図３にワンタッチキーを設定したいので、ここで設定したい位置の項目にタッチする。
【００３０】
ステップ１２２：  例えば（Ｘ，Ｙ）＝（５，２）にタッチすると、ＣＲＴ１３にはその座標値が表示される。ユーザは、ＳＫＳ１０の確定キーを押下するまでは、ワンタッチキーの登録位置を変更することが出来る。
【００３１】
ステップ１２３：  位置が決まったら、確定キーを押下する。ＣＰＵ１１は、ＣＲＴ１３に表示したＳＫＳ画面番号、Ｘ，Ｙ座標を変更しない。
【００３２】
【発明の効果】
以上の実施例から明らかなように、本発明によれば、発券装置のユーザが簡単にワンタッチデータを登録できるという利点がある。
【図面の簡単な説明】
【図１】本発明の発券端末装置のハードウェア構成図。
【図２】ＳＫＳ画面に表示される画面番号１の表示画面。
【図３】ＳＫＳ画面に表示される画面番号２の表示画面。
【図４】ＳＫＳ画面に表示される画面番号３の表示画面。
【図５】ＳＫＳ画面に表示される画面番号４の表示画面。
【図６】ＣＲＴ画面に表示される画面番号２の表示画面。
【図７】ＳＫＳ項目表示ファイルの構成を示す図。
【図８】ＳＫＳ項目変換テーブルの構成を示す図。
【図９】ワンタッチデータファイルの構成を示す図。
【図１０】ワンタッチデータ登録操作の１例を示すフローチャート（その１）。
【図１１】ワンタッチデータ登録中のＣＲＴの表示画面の１例を示す図。
【図１２】ワンタッチデータ登録操作の他の例を示すフローチャート（その２）。
【符号の説明】
１０：他項目入力装置（ＳＫＳ）、１１：ＣＰＵ、１２：磁気ディスク、１３：ＣＲＴ表示装置、１４：キーボード。
【図１】
0003668496.tif 000002
【図２】
0003668496.tif 000003
【図３】
0003668496.tif 000004
【図４】
0003668496.tif 000005
【図５】
0003668496.tif 000006
【図６】
0003668496.tif 000007
【図７】
0003668496.tif 000008
【図８】
0003668496.tif 000009
【図９】
0003668496.tif 000010
【図１０】
0003668496.tif 000011
【図１１】
0003668496.tif 000012
【図１２】
0003668496.tif 000013